(57)【要約】      （修正有）【課題】スカートを上衣としても着用可能なスカート付きパンツを提供する。【解決手段】パンツと、パンツの上に重ねて縫着されたスカートとを有する。スカートの裾周縁部にはスカート裾の周径を縮径可能に調節紐が設けられ、前記スカートは、上半身に捲り上げて調節紐により裾部を縮径して胸元で固定することにより上衣として着用可能である。【選択図】図２
0003174233.tif 000002
【実用新案登録請求の範囲】
【請求項１】
パンツと、パンツの上に重ねて縫着されたスカートとを有するスカート付きパンツであって、前記スカートの裾周縁部にはスカート裾の周径を縮径可能に調節紐が設けられ、スカートを上半身に捲り上げて、前記調節紐によりスカート裾部を縮径して胸回りで固定することによりスカートを上衣として着用可能なことを特徴とするスカート付きパンツ。
【請求項２】
前記スカートおよび前記パンツは、それらの上縁を重ねて内側に折り返し、ウエストベルトの下部に縫合していることを特徴とする請求項１に記載のスカート付きパンツ。
【請求項３】
前記パンツおよびスカートが伸縮性を有する布帛により形成されていることを特徴とする請求項１または請求項２のいずれかに記載のスカート付きパンツ。
【請求項４】
前記スカートの裾周縁部には、前記調節紐を挿通可能な紐挿通部が設けられ、該紐挿通部には、調節紐の両端部を露出可能な孔部が形成されていることを特徴とする請求項１ないし３のいずれか１項に記載のスカート付きパンツ。
【請求項５】
前記スカートの表面と裏面とが、違う色、柄、あるいは模様にて形成されていることを特徴とする請求項１ないし４のいずれか１項に記載のスカート付きパンツ。
【請求項６】
前記スカートの縫い代をスカートの左右両側に設け、該縫い代を後高に倒しステッチで押さえたことを特徴とする請求項１ないし５のいずれか１項に記載のスカート付きパンツ。
【考案の詳細な説明】
【技術分野】
【０００１】
本考案は、アウターとして利用されるパンツとスカートを一体化したスカート付きパンツに関するものである。
【背景技術】
【０００２】
従来、アウターとして利用されるいわゆるレギンスやスパッツなどのパンツ類に対し、体のラインを隠すためやファッション性を高める目的から、それらの上からスカートを重ね着することが行われている。
【０００３】
このような重ね着をした際のひとつの問題として、スカートが上下にずれたり左右に回ったりなどすることが課題として挙げられており、かかる課題を解決するものとして、特許文献１には、レギンスやスパッツなどのパンツとスカートを一体化することにより、スカートのずれを無くしたスカート付きパンツが開示されている。
【０００４】
しかしながら、かかる従来技術は、パンツとスカートとを互いに縫合して一体化したというものにとどまり、機能的あるいはファッション的に新たな着用方法を提案するものではなかった。
【先行技術文献】
【特許文献】
【０００５】
【特許文献１】実用新案登録第３１５３５１９号
【考案の概要】
【考案が解決しようとする課題】
【０００６】
そこで本考案は、スカートとパンツのズレを解消するのみならず、スカートを上衣としても着用可能な、機能的あるいはファッション的にも従来にはないスカート付きパンツを提供することをその課題とするものである。
【課題を解決するための手段】
【０００７】
本考案は、上記課題を解決するものであり、パンツと、パンツの上に重ねて縫着されたスカートとを有するスカート付きパンツであって、前記スカートの裾周縁部にはスカート裾の周径を縮径可能に調節紐が設けられ、スカートを上半身に捲り上げて、前記調節紐によりスカート裾部を縮径して胸回りで固定することによりスカートを上衣として着用可能なことを特徴とするスカート付きパンツである。
【考案の効果】
【０００８】
本考案のスカート付きパンツは、パンツとスカートを一体に縫着することにより、着用時にスカートのずれを無くし、パンツの機能性を損なうことなくファッション性に優れた下衣の形態で着用することができる。さらに、スカートの裾周径を調節可能な調節紐を設けることにより、スカート部分を上半身に捲くり上げて胸回りで固定させて、ベアトップの上衣とパンツの下衣とを一体化した形態としても着用することができる。また、それらの形態の切り替えも、調節紐により容易に行うことができるため、着用時に手間がかからないものである。
【図面の簡単な説明】
【０００９】
【図１】本考案に係るスカート付きパンツの通常の着用状態における正面図。
【図２】本考案に係るスカート付きパンツのスカートを上衣として着用した状態における正面図。
【図３】本考案に係るスカート付きパンツのスカートとパンツの縫合状態をあらわした断面図。
【図４】本考案に係るスカート付きパンツのスカートとパンツの縫合状態をあらわした断面図。
【図５】本考案に係るスカート付きパンツのスカート裾部の一部拡大図。
【考案を実施するための形態】
【００１０】
以下、本考案のスカート付きパンツの一実施態様を、図面に基づいて具体的に説明する。なお、本考案はこれら実施態様に何ら制約されるものではない。
【００１１】
図１は本考案に係るスカート付きパンツの通常の着用状態における正面図、図２はスカートを上衣として着用した状態の正面図、図３、４はスカートとパンツの縫合状態をあらわした断面図、図５はスカート裾部の一部拡大図である。図中、１はスカート、２はパンツ、３はウエストベルト、４は調節紐、１１は裾部、１２は紐挿通部、１３は孔部、３１はゴム、３２は縫合部、４１は留め具をそれぞれ示す。
【００１２】
図１に示すように、本考案にかかるスカート付きパンツは、パンツ２の上からスカート１を重ね着した状態でウエストベルト３に一体に縫着されており、スカート１の裾部１１には、スカート１の裾周径を調整するための調節紐４が設けられている。スカート１とパンツ２は、伸縮性を有する布帛で形成することが好ましく、具体的には、綿単独、綿とポリエステルとの混合、綿とポリウレタンとの混合の何れか、あるいはそれらの素材の組合せが望ましいが、特にこれらに限定されるものではない。なお、布帛の形態は特に限定されず、織物、編物、不織布のいずれであっても構わない。
【００１３】
図３は、本実施態様におけるスカート１とパンツ２の縫合について示したものである。本実施態様のウエストベルト３はバンド状のゴム３１を内包して形成されている。そして、ウエストベルト３の下部にはスカート１およびパンツ２が縫合されている。具体的には、スカート１およびパンツ２の生地の上縁を重ねて内側に折り返し、ウエストベルト３のゴム３１の下方にあたる縫合部３２で本縫いした後、それら４枚の生地を一緒にオーバーロックにかけて縫合する。このようにスカート１とパンツ２を縫合することで、図４のようにスカート１を上半身に捲り上げても、ウエストベルト３の形は変わらず、縫合部３２が露出することもない。
【００１４】
図５は、本考案に係るスカート付きパンツのスカート裾部の一部拡大図である。図に示すように、スカート１の裾部１１の周縁には、調節紐４を中に通して収納可能な紐挿通部１２が設けられている。そして、紐挿通部１２には、調節紐４の端部を外に出すための孔部１３が設けられている。本実施態様では、かかる孔部１３は、着用者のほぼ正面に位置するよう設けられているが、この位置についてはこれに限定されず、着用者の側面側など別の位置に設けても良い。調節紐４は、スカート１の裾をもっとも広げた場合の裾周り長さとほぼ同じか、あるいはそれよりも長くなるよう形成されており、その素材は、着用時にスカート１を胸回りで固定したときに着心地や美観を損なわないものであれば特に限定されないが、ある程度の伸縮性を有する素材が好ましい。
【００１５】
図５に示すように、孔部１３から外に露出した調節紐４の両端部は、ともにひとつの留め具４１に挿通されている。留め具４１は、調節紐４の任意の位置に固定可能な既成のエンドループなどを適宜使用することができ、かかる留め具４１により、スカートの裾周径を調節することができる。すなわち、スカート１の裾周径を最大に広げたいときは、かかる留め具４１を調節紐４の最端部付近で固定すればよい。これにより、調節紐４のほとんどの部分は紐挿通部１２内に収まるため、スカート１は、裾が縮径しない本来の形状となる。また、スカート１の裾周径を小さくしたときは、孔部１３から外部に露出している調節紐４の長さが長くなるよう、紐挿通部１２から調節紐４を引き出し、好みの周径に裾がすぼまったときに、孔部１３付近で留め具４１を調節紐４に固定すればよい。これにより、露出した調節紐４が紐挿通部１２内に戻ることが阻止され、スカート１の裾周径を好みのサイズで維持することが可能となる。
【００１６】
次に、本考案に係るスカート付きパンツの着用例について説明する。図１は、スカート１を通常のスカートの下衣として着用した例である。この着用例では、留め具４１を調節紐４の両端部付近で固定しており、これにより、スカート１は、裾が縮径しない本来の形状を保っているため、一般的なパンツの上にスカートを重ね着した場合と同様になる。
【００１７】
図２は、スカート１を捲り上げて胸回りで固定し、いわゆるベアトップタイプの上衣として着用した例である。この着用例では、まず、スカート１の裾部１１を胸元にくるまで捲り上げる。そして、紐挿通部１２から調節紐４を引き出してスカート１の裾周径をすぼめ、胸元で裾部１１が固定される長さまで調節紐４が引き出されたら、調節紐４が紐挿通部１２内に戻らないよう留め具４１により固定すればよい。
【００１８】
さらに、図１のようにスカート１を通常のスカートの下衣として着用した状態において、スカート１の裾を縮径してギャザーを形成してもよい。これにより、ヒップの小さな人のスカートのシルエットを調整することができる。
【００１９】
以上のとおり、本考案に係るスカート付きパンツは、スカート１を通常のスカートとして着用する場合と、ベアトップの上衣として着用する２ＷＡＹの態様が可能であるが、ベアトップとして着用する場合は、スカート１を裏返してその裏面が露出することになるため、スカート１の表面と裏面を違う色や柄や模様やラインにすることにより、ベアトップの上衣として着用する場合と、スカートの下衣として着用する場合とで、パンツのデザインとのコントラストの変化を楽しむことができる。
【００２０】
また、スカート１は上衣として着用した場合に裏面の縫い代が目立たないよう縫製することが好ましい。具体的には、スカート１の縫い代が左右両側にある場合、それらの縫い代は７ｍｍ巾に統一し、両側とも後高に倒し、本縫い５ｍｍステッチで押さえればよい。このように縫製することにより、スカート１部分をまくりあげた時に裏側の縫い代が露出しているようには見えず、表面が平滑に見えるため好ましい。さらに、スカート裾部１１については、縫い代にオーバーロックをかけてから、本縫いのステッチを布の端にかかるようにコバステッチをかけていってもよい。
【００２１】
本考案に係るスカート付きパンツのスカート１をベアトップタイプの上衣として着用するシーンは多々考えられるが、例えば、スポーツなどで激しい運動を行って首元や胸元などが発汗し、上衣の着替えが必要となった際、手軽にスカートを上衣として利用でき、外観上のシルエットも美しく保つことができる。また、スポーツウェアの利用のみならず、一般着や部屋着としての利用も可能である。
【符号の説明】
【００２２】
１……スカート
２……パンツ
３……ウエストベルト
４……調節紐
１１……裾部
１２……紐挿通部
１３……孔部
３１……ゴム
３２……縫合部
４１……留め具
【図１】
0003174233.tif 000003
【図２】
0003174233.tif 000004
【図３】
0003174233.tif 000005
【図４】
0003174233.tif 000006
【図５】
0003174233.tif 000007